(57)【特許請求の範囲】
【請求項１】
認証符号を記憶する認証符号記億手段と、
認証符号を入力する認証符号入力手段と、
通知に使用する通知音声データを記憶する使用通知音声記憶手段と、
認証符号並びに通知音声データを自動的に送受信する通信手段と、
該通信手段により受信した認証符号と前記認証符号記憶手段に記憶してある認証符号が一致するかどうかを判定する認証符号判定手段と、
該認証符号判定手段により認証が完了した場合に前記使用通知音声記憶手段に記憶してある通知音声データに基づいて相手の到着を通知する通知手段と、
を備え、
同一の領域内で複数組の待ち合わせがある場合、その１組の複数人の待ち合わせにおいて、複数人の探索相手との遭遇時に前記認証符号判定手段による互いの認証を行い、認証完了後、前記通知手段により前記通知音声データに基づく通知音声を鳴らし、前記探索相手が所有する無線探索装置に前記通知音声データを送信するとともに、該通知音声及び前記無線探索装置が受信した前記通知音声データに基づいて発生した前記通知音声と同一の通知音声を頼りに探索相手全員の識別が完了するようにしたことを特徴とする無線探索装置。
【請求項２】
通知音声データを複数記憶可能な通知音声記憶手段と、
該通知音声記憶手段に通知音声データを入力可能でかつ前記通知音声記憶手段に記憶されている複数の通知音声データのうち一つを選択し前記使用通知音声記憶手段に記憶させることのできる通知音声入力／選択手段と、
をさらに備えたことを特徴とする請求項１記載の無線探索装置。
【請求項３】
過去に認証を行った認証符号を記憶することができ今回の待合せに使用する認証符号を前記認証符号記憶手段に送信する過去認証符号記憶手段と、
該過去認証符号記憶手段に記憶される認証符号のうち、今回の探索に使用する認証符号を選択することのできる認証符号選択手段と、
をさらに備えたことを特徴とする請求項１又は２記載の無線探索装置。
【請求項４】
過去に認証を行ったことのある相手を再度探索する必要のある場合には、その際使用した認証符号を再利用することを可能にしたことを特徴とする請求項１、２又は３記載の無線探索装置。
【請求項５】
前記認証符号記憶手段は、複数の認証符号を記憶することが可能な手段であることを特徴とする請求項１、２又は３記載の無線探索装置。
【発明の詳細な説明】
【０００１】
【発明の属する技術分野】
本発明は、無線を利用して、認識符号の一致する１乃至複数の探索機器が受信可能範囲内に出現した場合にそのことを通知する無線探索装置に関する。
【０００２】
【従来の技術】
従来、他人と待合せを行う際には、待合せを行う人間の目により待合せ場所にいる多くの人の顔を判別することにより行っている。したがって、初対面の人物と待合せを行う際には、分かりやすい目印などを用意する必要があり、加えて相手の到着まで相手を探し続ける必要がある。
待合せを支援する一つの手段として、待合せ場所において携帯電話等で相手との位置の確認を行う方法があるが、これには通話料金がかかるために効率がよい方法とはいえない。
【０００３】
ー方、無線を利用して待合せを支援する技術が特開平５−１４３８０公報に開示されている。この技術は、無線により認証符号を送受信し、相手の到着を検出するというものである。すなわち、待合せを行う双方がこの探索機器を持ち、予め双方に同一の認識符号を入力しておく。双方が一定距離以内に近づくと、探索機器は認証符号を無線にて送信し、この認証符号を受信した探索機器はこれが予め入力したものと同一のものであるかを判定し、同一のものであれば通知音声を鳴らして相手が来たことを知らせるものである。
【０００４】
【発明が解決しようとする課題】
しかしながら、特開平５−１４３８０公報に記載されているような技術では、複数組の待合せを行う組が存在する場所において、それら各々の組の待合せ相手が同時に到着する場合（駅前の待合せ場所などでは往々にして発生するものと思われる）に、通知音声が同一のために自分の待合せ相手がどこにいるかを識別するため、依然として人間の目による待合せ相手の探索が必要となる。また、過去に待合せを行った相手と再び待合せを行う際、その相手と待合せを行った後、別の認識符号を用いて他の待合せ相手と待合せを行っていた場合には、再び同一の認識符号を決定し探索機器に入力する必要がある。さらにまた、複数の待合せ相手と待合せを行う場合については考慮されていない。
【０００５】
本発明は、上記のような従来の課題を解決するためになされたもので、待合せ場所で双方の所持する探索機器が遭遇した場合、これらの探索機器で同一の通知音声でかつ他の探索機器と異なった報知音を鳴らすことにより、相手の識別を可能にすると共に、複数の相手と待合せを行う場合にも、一人と待ち合わせをする場合と同様にこの探索機器を使用できるようにした無線探索装置を提供する事を目的とする。
【０００６】
【課題を解決するための手段】
本発明の無線探索装置は、認証符号を記憶する認証符号記億手段と、認証符号を入力する認証符号入力手段と、通知に使用する通知音声データを記憶する使用通知音声記憶手段と、認証符号並びに通知音声データを自動的に送受信する通信手段と、該通信手段により受信した認証符号と前記認証符号記憶手段に記憶してある認証符号が一致するかどうかを判定する認証符号判定手段と、該認証符号判定手段により認証が完了した場合に前記使用通知音声記憶手段に記憶してある通知音声データに基づいて相手の到着を通知する通知手段とを備え、
同一の領域内で複数組の待ち合わせがある場合、その１組の複数人の待ち合わせにおいて、複数人の探索相手との遭遇時に前記認証符号判定手段による互いの認証を行い、認証完了後、前記通知手段により前記通知音声データに基づく通知音声を鳴らし、前記探索相手が所有する無線探索装置に前記通知音声データを送信するとともに、該通知音声及び前記無線探索装置が受信した前記通知音声データに基づいて発生した前記通知音声と同一の通知音声を頼りに探索相手全員の識別が完了するようにしたことを特徴とする。
【０００７】
また、本発明は、通知音声データを複数記憶可能な通知音声記憶手段と、該通知音声記憶手段に通知音声データを入力可能でかつ前記通知音声記憶手段に記憶されている複数の通知音声データのうち一つを選択し前記使用通知音声記憶手段に記憶させることのできる通知音声入力／選択手段とを備えている。
【０００８】
また、本発明は、過去に認証を行った認証符号を記憶することができ今回の待合せに使用する認証符号を前記認証符号記憶手段に送信する過去認証符号記憶手段と、該過去認証符号記憶手段に記憶される認証符号のうち、今回の探索に使用する認証符号を選択することのできる認証符号選択手段とを備えている。
【０００９】
また、本発明は、過去に認証を行ったことのある相手を再度探索する必要のある場合には、その際使用した認証符号を再利用することを可能にしたものである。ここで、相手とは、探索相手が持っている無線探索装置である。
【００１０】
また、本発明は、前記認証符号記憶手段は、複数の認証符号を記憶することが可能な手段としている。
【００１１】
【発明の実施の形態】
以下、本発明の無線探索装置の一実施の形態について、図面を参照して詳細に説明する。なお、以下の説明では、無線部分にブルートゥースを用いた場合について説明しているが、無線部分はブルートゥースに限定するものではない。
【００１２】
図１において、本実施の形態の無線探索装置は、通信手段１、認証符号判定手段２、認証符号入力手段３、認証符号記憶手段４、過去認証符号記憶手段５、使用通知音声記憶手段６、通知音声選択／入力手段７、通知手段８、認証符号選択手段９、通知音声記億手段１０、からなる構成である。
【００１３】
通信手段１は、認証符号や通知音声データの送受信が可能なものである。認証符号判定手段２は、受信した認証符号と自己の探索機器内に格納されている認証符号が一致するかどうかを確認するものである。認証符号入力手段３は、ある待合せ相手の探索機器と初めて待合せを行う場合に使用する認証符号を入力するものである。認証符号記憶手段４は、１乃至複数の待合せ相手の探索機器との認証作業に使用する認証符号を記憶するものである。
【００１４】
過去認証符号記憶手段５は、過去に待合せを行った相手の探索機器との認証に使用した認証符号を記憶しておき、今回の待合せに使用する認証符号を認証符号記憶手段４に送信することが可能なものである。使用通知音声記憶手段６は、他の探索機器より受信した通知音声データ乃至は自探索機器に予め入力されていた通知音声データのうち、今回の待合せにおいて使用する通知音声データを記憶しておくものである。通知音声選択／入力手段７は、通知音声記憶手段１０に対し新たな通知音声データを入力することに加え、既に通知音声記憶手段１０に入力されている通知音声データの中のうち、使用通知音声記憶手段６に格納し今回の待合せに使用する通知音声データを選択するものである。
【００１５】
通知手段８は、使用通知音声記憶手段６より受取った通知音声データを使用し、探索機器の所有者に相手の到着を通知するものである。認証符号選択手段９は、過去認証符号記憶手段５に記憶されている認証符号の内、今回の待合せに使用するため認証符号記億手段４に送信する認証符号を選択するものである。通知音声記億手段１０は、通知音声データを記憶しておくものである。
【００１６】
次に、図２のフローチャートを参照しつつ動作を説明する。最初に、事前に待合せ相手と本実施の形態の無線探索装置（探索機器）を用いて待合せを行ったことがない場合、すなわち、ステップＳ１で初めて待ち合わせを行う相手か否かの判定がＹＥＳの場合の動作について説明する。
【００１７】
この場合、予め両者の間で同一の認証符号（ブルートゥースの場合はＰＩＮコード）を決定し、認証符号入力手段３を用いて、それぞれの探索機器の認証符号記憶手段４に認証符号を入力する（ステップＳ２）。さらにそれぞれの探索機器を自動問合せモードにする（ステップＳ３）。なお、ここで自動問合せモードとは、ブルートゥースの場合においては周期的問い合わせモード（Ｐｅｒｉｏｄｉｃ  Ｉｎｑｕｉｒｙ  Ｍｏｄｅ）のことであり、一定時間毎に問合せ（接続のために必要な情報を周辺の探索機器に要求すること）と、問合せ待ち（接続のための情報要求がないか調査すること）とを繰り返すモードである。
【００１８】
また、待合せを行う探索機器のうちいずれか一方又は両方の探索機器において、予め通知音声選択／入力手段７を用いて通知音声記憶手段１０に入力されていた通知音声データの中からいずれか一つを選択する（ステップＳ４）。
それぞれの探索機器を持った両者が待合せ場所にて遭遇すると（ステップＳ５）、まず通信手段１は通信路の確立を行う（ステップＳ６）。ブルートゥースの場合においては、いずれか一方の探索機器が問合せを行い、引き続いてぺ一ジングを行うことにより通信路の確立を行う。
【００１９】
その後、一方の探索機器から、あるいは互いに認証作業を行う（ステップＳ７）。認証をされる側（以下Ｃとする）は、認証符号記億手段４に格納される認証符号を、通信手段１を使用し認証を行う側（以下Ｖとする）に送信する。Ｖはこれを受信後、認証符号判定手段２において、受信した認証符号と自探索機器の認証符号記憶手段４に格納される認証符号とを用いて認証を行う。互いに認証を行う場合には、ＶのＣに対する認証が終了した後、続いてＣはＶに対する認証を行う。
【００２０】
認証が完了した後（ステップＳ８）、探索機器間で新たに認証符号を作成し、利用した認証符号を相手の名前など利用者が認識可能な名称を付けて過去認証符号記憶装置５に記憶させ、今後当該探索機器と待合せを行う際には、再度認証符号を入力しなくともよいようにする（ステップＳ９）。
【００２１】
次に、いずれか一方の探索機器（例えば先に認証を主導した探索機器Ｖや、予め通知音声データを入力した探索機器（以下Ｓとする）が使用通知音声記憶手段６に格納されている通知音声データを相手の探索機器に送信する（ステップＳ１０）と共に、通知手段８を用いて待合せ相手が到着したことを通知する（ステップＳ１１）。一方通知音声データを送信された探索機器（以下Ｄとする）は、その探索機器の使用通知音声記憶手段６に受信した通知音声データを格納し、その後Ｄの通知手段８により、Ｓと同一の通知音声を用いて待合せ相手が到着したことを通知する。その結果、ＳとＤは同一の通知音声で相手の到着を知らせるため、その音を頼りにすることにより周囲にいる大勢の一人一人の顔を見ることなく相手を見つけることが可能になる。
なお、ステップＳ８において認証に失敗した場合には、通信手段１は通信路を切断し（ステップＳ１１）、再び自動問合せモードに戻る。
【００２２】
次に、事前に待合せ相手と、本無線探索装置を用いて待合せを行ったことがある場合について説明する。この場合、上記例における認証符号入力の代わりに、過去認証符号記憶手段５に記録されている過去認証符号の内、待合せ相手の探索機器の認証符号を、認証符号選択手段９を用いて選択し、認証符号記憶手段４に記憶する（ステップＳ１３）。以下の手順は上記動作と同様である。
【００２３】
次に、複数の相手と待合せを行う場合について、図３のフローチャートを参照しつつ説明する。
この場合、当探索機器を用いて初めて待ち合わせを行う相手がいる場合には、先の例と同様に事前に両者の間で同一の認証符号を決定し、認証符号入力手段３を用いて認証符号記憶手段４に入力する（ステップＳ２２）。また、以前当探索機器を用いて待合せを行ったことがある相手に対しては、認証符号選択手段９を用いて過去認証符号記憶手段５より対応する符号を選択し、認証符号記憶手段４に入力する（ステップＳ３５）。
【００２４】
さらに、幾つかの探索機器乃至は全探索機器で、通知音声選択／入力手段７を用いて通知音声データの入力／選択を行う（ステップＳ２５）。それぞれの探索機器を持った者が待合せ場所にて遭遇すると、その内の任意の探索機器(以下Ａとする)は、他の任意の探索機器(一番初めにＡの問合せに応答したものになる。以下Ｂとする)と、図２の動作と同様の手順により通信路を確立し（ステップＳ２７）、認証並びに通知音声データの送信を行う（ステップＳ２８〜Ｓ３１）。その後、全員と待合せが終了していない場合には、探索機器ＡあるいはＢは、再び他の探索機器が周囲に存在するかどうか問合せを行い、他の探索機器(以下Ｃとする)が存在した場合には、Ｃに対し先の実施例と同様の方法にて認証、並びに通知音声データの送付を行う（ステップＳ２７〜Ｓ３１）。なお、ＡからＣへ通知音声データの送信を行う際、既にＣがさらに別の探索機器(以下Ｄとする)に対し通知音声データを送信、あるいはＤから通知音声データを受信していた場合には、ＣはＤに、Ａより受信した通知音声データを再度送信する。以上の手順により、待合せを行う全ての探索機器は同一の通知音声を鳴らすことが可能となり、これにより多人数で待合せを行う場合でも、音を頼りにして相手を見つけることが可能になる。
【００２５】
以上のように、本実施の形態の無線探索装置は小型化が可能であり、また、本無線探索装置を、ブルートゥースを用いて実現する場合には、ブルートゥース搭載の携帯電話、携帯端末等への実装が容易になり、本無線探索装置を実装するブルートゥース搭載携帯電話、携帯端末を持っている場合には、これらとは別に新たに待合せ用の探索機器を持つ必要がなくなる。
【００２６】
【発明の効果】
以上、詳述したように、本発明によれば、待合せを行う際に相手が通信可能範囲内に現れた場合にこれを通知するため、待合せ場所にて相手が到着するまで一人一人の顔を見分ける必要がなくなる。また、相手が待合せ場所に到着し、これを探索機器により検知した場合、一方より通知音声データを送信することにより同一の通知音声を鳴らすことが可能なため、通知音声を頼りに相手を探索することが可能となり、従来の探索機器を用いた場合より使い勝手が向上する。
【００２７】
また、それぞれの探索機器が記憶している通知音声データを送信するため、同一の待合せ場所にて待合せを行う複数の組が存在する場合に、これらの組の待合せ相手が同時に待合せ場所にて遭遇したとしても通知音声が異なり、これを頼りに相手を探索することが容易になる。
【００２８】
さらにまた、過去に待合せを行った相手に対し、その時使用した認証符号より新たに認証符号を作成しこれを記憶、次回以降の待合せ時に利用可能であるため、当該相手と待合せを行う度毎に認証符号を都度入力する必要がなく、使い勝手が向上する。また複数の相手と待合せを行う際にも、待合せ相手それぞれとの認証符号を全て記憶し、それぞれの探索機器と認証を行うことにより、複数の相手と待合せを行うことも可能となる。
【図面の簡単な説明】
【図１】本発明の無線探索装置の実施の形態を示すシステム構成図である。
【図２】単一の相手と待合せを行う際の動作を示すフローチャートである。
【図３】複数の相手と待合せを行う際の動作を示すフローチャートである。
【符号の説明】
１    通信手段
２    認証符号判定手段
３    認証符号入力手段
４    認証符号記憶手段
５    過去認証符号記憶手段
６    使用通知音声記憶手段
７    通知音声入力／選択手段
８    通知手段
９    認証符号選択手段
１０  通知音声記憶手段
【図１】
0003877504.tif 000002
【図２】
0003877504.tif 000003
【図３】
0003877504.tif 000004